(57)【特許請求の範囲】
【請求項１】
ガス供給ラインを通過するガス流量に応じて流量信号を発する流量測定手段と、該流量測定手段から所定サンプリング時間毎に読み取る前記流量信号に基づいてガスの流量を計測する流量計測手段とを備えたガスメータにおいて、
前記流量計測手段が算出した前記流量を所定期間毎の前記ガスの使用パターンとして少なくとも１日分前まで時系列的に記憶する使用パターン記憶手段と、
前記流量計測手段が計測した前記流量の所定回数連続する０を検出したとき、この時点を含む前記所定期間に応じた前記１日前の前記使用パターンを前記使用パターン記憶手段から抽出し、該抽出した使用パターンに基づいて前記１日前の同じ時間帯におけるガスの使用状態を判定する使用状態判定手段と、をさらに備え、
前記流量計測手段は、前記１日前の同じ時間帯に前記ガスは使用されていなかったとの前記使用状態判定手段の判定結果に応じて、前記所定サンプリング時間に所定の遅延時間を加算した値を新たに前記所定サンプリング時間とする
ことを特徴とするガスメータ。
【請求項２】
前記ガス供給ラインにおける前記ガスの圧力に応じて圧力信号を発する圧力測定手段と、
前記圧力測定手段からの前記圧力信号に基づいて圧力変化量を算出する圧力変化量算出手段と、をさらに備え、
前記使用状態判定手段は、さらに前記圧力変化量算出手段が算出した圧力変化量が０のときに前記１日前の前記使用状態の判定を行う
ことを特徴とする請求項１に記載のガスメータ。
【請求項３】
前記使用状態判定手段は、前記圧力変化量算出手段が算出した前記圧力変化量が所定の監視時間の間継続して０のときに、前記圧力変化量を０と見なす
ことを特徴とする請求項２に記載のガスメータ。
【請求項４】
前記使用状態判定手段は、前記所定サンプリング時間に前記遅延時間を加算した後、前記流量計測手段が新たな前記所定サンプリング時間に基づいて計測した前記流量の前記所定回数連続する０を検出する毎に、前記所定サンプリング時間に前記遅延時間を加算する
ことを特徴とする請求項１〜３の何れかに記載のガスメータ。
【請求項５】
前記使用状態判定手段は、前記所定サンプリング時間に前記遅延時間を加算した後、前記流量及び前記圧力変化量の少なくとも一方にそれぞれの所定の閾値を越える変化を検出すると、前記所定サンプリング時間を最小の値に戻す
ことを特徴とする請求項１〜４の何れかに記載のガスメータ。
【請求項６】
前記所定サンプリング時間には、最大サンプリング時間が予め定められており、
前記使用状態判定手段は、前記最大サンプリング時間を越えない範囲で前記遅延時間を前記所定サンプリング時間に加算する
ことを特徴とする請求項１〜５の何れかに記載のガスメータ。
【発明の詳細な説明】
【０００１】
【発明の属する技術分野】
本発明は、ガスメータに関し、より詳細には、フローセンサなどの流量測定手段がガス供給ラインを通過するガス流量に応じて発する流量信号を所定サンプリング時間毎に読み取り、その流量信号に基づいてガスの流量を計測するガスメータに関するものである。
【０００２】
【従来の技術】
一般的なガス供給系統の概要構成を図７を参照して説明する。
ガス供給系統１０は、液化ガスを貯留するためのガス容器１と、このガス容器１から流出するガスの圧力を後述のガスメータ４の流出口側圧力が基準圧力に相当するように調整（減圧）する圧力調整器２と、圧力調整器２にガス配管３を介して接続されたガスを燃焼させ熱エネルギーに変換するためのガス器具５と、ガス器具５へのガスの供給／遮断を行うためのガスコック６とを備えて構成されている。
【０００３】
次に概要動作を説明する。
ガスコック６を開状態とすると、ガス容器１内の液化ガスは、圧力調整器２により減圧され、ガス配管３を介してガスメータ４に供給される。そして、このガスメータ４は、ガスの通過体積を積算し、この積算結果をその表示部に表示する。これと並行してガスメータ４及びガスコック６を介してガス器具５にガスが供給されることとなる。
【０００４】
上述したガス供給系統においてガスメータ４は、所定サンプリング時間毎に熱線式フローセンサなどの流量測定手段に通電し、この通電によって駆動された流量計測手段から入力される通過流量に応じた流量信号に基づいて、ガスの流量を計測している。
【０００５】
【発明が解決しようとする課題】
上述したガスメータ４において、計測したガスの流量の測定精度を向上させるためには、上記所定サンプリング時間を短く設定することで対応することができる。しかしながら、短い所定サンプリング時間によってガス流量の計測を行うということは、流量信号のサンプリングにおける電力の消費を増加させることになる。その結果、電力を補うためにガスメータ４には多くの電池が用いられることになるため、ガスメータ４におけるコスト高、重量増、大型化などの様々な不具合を招くこととなる。特に近年では、ガスメータ４は小型で安価なものが望まれており、ガスメータ４を大型化させるということは小型化という要望に反するため、測定精度の向上のためであってもガスメータ４の大型化は好ましくなかった。
【０００６】
よって本発明は、上述した問題点に鑑み、消費電力を増加させることなくガス流量の測定精度を向上することができるガスメータを提供することを課題としている。
【０００７】
【課題を解決するための手段】
上記課題を解決するため本発明によりなされた請求項１記載のガスメータは、図１の基本構成図に示すように、ガス供給ラインを通過するガス流量に応じて流量信号を発する流量測定手段１４と、該流量測定手段１４から所定サンプリング時間毎に読み取る前記流量信号に基づいてガスの流量を計測する流量計測手段１５ａ１１とを備えたガスメータにおいて、前記流量計測手段１５ａ１１が算出した前記流量を所定期間毎の前記ガスの使用パターンとして少なくとも１日分前まで時系列的に記憶する使用パターン記憶手段１５ｈ２と、前記流量計測手段１５ａ１１が計測した前記流量の所定回数連続する０を検出したとき、この時点を含む前記所定期間に応じた前記１日前の前記使用パターンを前記使用パターン記憶手段１５ｈ２から抽出し、該抽出した使用パターンに基づいて前記１日前の同じ時間帯におけるガスの使用状態を判定する使用状態判定手段１５ａ１２と、をさらに備え、前記流量計測手段１５ａ１１は、前記１日前の同じ時間帯に前記ガスは使用されていなかったとの前記使用状態判定手段１５ａ１２の判定結果に応じて、前記所定サンプリング時間に所定の遅延時間を加算した値を新たに前記所定サンプリング時間とすることを特徴とする。
【０００８】
上記請求項１に記載した本発明のガスメータによれば、使用パターン記憶手段１５ｈ２は、流量計測手段１５ａ１１が算出した流量を所定期間毎のガスの使用パターンとして少なくとも１日分前まで時系列的に記憶している。そして、流量計測手段１５ａ１１が計測した流量の所定回数連続する０が検出されると、使用状態判定手段１５ａ１２によって、その時点を含む所定時間に応じた１日前の使用パターンが、使用パターン記憶手段１５ｈ２から抽出され、この抽出された使用パターンに基づいて１日前の同じ時間帯におけるガスの使用状態が判定される。そして、使用状態判定手段１５ａ１２の１日前の同じ時間帯に前記ガスは使用されていなかったとの判定結果に応じて、流量計測手段１５ａ１１によって所定サンプリング時間に所定の遅延時間を加算され、この加算された値が新たな所定サンプリング時間とされる。
【０００９】
よって、流量計測手段１５ａ１１が計測した流量の所定回数連続した０を検出すると、その検出時点を含む１日前の時間帯におけるガスの使用状態を判定し、その時間帯がガスの未使用時間帯であれば、流量計測手段１５ａ１１の所定サンプリング時間に所定の遅延時間を加算して所定サンプリング時間を長く変更するので、ガスメータの設置先の使用状態に基づいて、ガスの使用時間帯は短く、また、ガスの未使用時間帯は長く設定されたそれぞれの所定サンプリング時間に基づいてガスの流量を計測することができる。従って、一般的に１日におけるガスの使用状態は、未使用時間の方が使用時間よりも長いことから、電力の消費を増加させることなく、測定精度を向上することができるガスメータを提供することができる。また、ガスの使用状態の判定は、前日のガスの使用パターンに基づいているため、ガスメータの設置先のガスの使用状態の近況をより一層所定サンプリング時間に反映することができる。
【００１０】
上記課題を解決するためになされた請求項２記載の発明は、図１の基本構成図に示すように、請求項１に記載のガスメータにおいて、前記ガス供給ラインにおける前記ガスの圧力に応じて圧力信号を発する圧力測定手段１３と、前記圧力測定手段１３からの前記圧力信号に基づいて圧力変化量を算出する圧力変化量算出手段１５ａ１３と、をさらに備え、前記使用状態判定手段１５ａ１２は、さらに前記圧力変化量算出手段１５ａ１３が算出した圧力変化量が０のときに前記１日前の前記使用状態の判定を行うことを特徴とする。
【００１１】
上記請求項２に記載した本発明のガスメータによれば、圧力変化量算出手段１５ａ１３によって、圧力測定手段１３からの圧力信号に基づいた圧力変化量が算出される。そして、使用状態判定手段１５ａ１２によって、さらに圧力変化量算出手段１５ａ１３が算出した圧力変化量が０のときに１日前の使用状態が判定される。よって、使用状態判定手段１５ａ１２は、流量計測手段１５ａ１１が計測した流量の所定回数連続する０を検出し、さらに圧力変化量算出手段１５ａ１３が算出した圧力変化量が０のときに１日前の使用状態を判定するので、より一層正確にガスの使用状態を判定することができる。従って、流量計測手段１５ａ１１の測定値だけに頼らないため、ガスメータの設置先のガスの使用状態の近況をより一層正確に所定サンプリング時間に反映することができる。
【００１２】
上記課題を解決するためになされた請求項３記載の発明は、図１の基本構成図に示すように、請求項１に記載のガスメータにおいて、前記使用状態判定手段１５ａ１２は、前記圧力変化量算出手段が算出した前記圧力変化量が所定の監視時間の間継続して０のときに、前記圧力変化量を０と見なすことを特徴とする。
【００１３】
上記請求項３に記載した本発明のガスメータによれば、圧力変化量算出手段１５ａ１３が算出した圧力変化量が所定の監視時間の間継続して０のときに、使用状態判定手段１５ａ１２によって圧力変化量が０と見なされる。よって、使用状態判定手段１５ａ１２は、圧力変化量算出手段１５ａ１３が算出した圧力変化量が所定の監視時間の間継続して０のときに圧力変化量を０と見なすので、例えば、ガス供給ラインの近くに隣家のガスエンジンヒートポンプ（ＧＨＰ）などが配設されているような場合に、ＧＨＰの稼働によってガス供給圧に変動の可能性がある圧力変化が生じている場合は、所定サンプリング時間が変更されないので、測定精度を低下させることはない。従って、ガスメータにおける測定などに影響を与える可能性がある圧力変化が生じている場合は、所定サンプリング時間が変更されないので、より一層正確にガスの使用状態を判定することが可能となるため、ガスメータの設置先のガスの使用状態の近況をより一層正確に所定サンプリング時間に反映することができる。
【００１４】
上記課題を解決するためになされた請求項４記載の発明は、図１の基本構成図に示すように、請求項１に記載のガスメータにおいて、前記使用状態判定手段１５ａ１２は、前記所定サンプリング時間に前記遅延時間を加算した後、前記流量計測手段１５ａ１１が新たな前記所定サンプリング時間に基づいて計測した前記流量の前記所定回数連続する０を検出する毎に、前記所定サンプリング時間に前記遅延時間を加算することを特徴とする。
【００１５】
上記請求項４に記載した本発明のガスメータによれば、所定サンプリング時間に遅延時間を加算した後、使用状態判定手段１５ａ１２によって、流量計測手段１５ａ１１が新たな所定サンプリング時間に基づいて計測した流量の所定回数連続する０が検出される毎に、所定サンプリング時間に遅延時間が加算される。よって、遅延時間が加算された所定サンプリング時間に基づいて流量計測手段１５ａ１１が計測した流量の所定回数連続する０を検出する毎に、遅延時間を所定サンプリング時間に加算するので、新たな所定サンプリング時間に変更した後、ガスの未使用状態が継続する場合は、所定サンプリング時間を一定期間毎に長くすることができる。従って、ガスの未使用時間の継続状況に応じて順次所定サンプリング時間が長くなるので、電力の消費をより一層低減することができる。
【００１６】
上記課題を解決するためになされた請求項５記載の発明は、図１の基本構成図に示すように、請求項１に記載のガスメータにおいて、前記使用状態判定手段１５ａ１２は、前記所定サンプリング時間に前記遅延時間を加算した後、前記流量及び前記圧力変化量の少なくとも一方にそれぞれの所定の閾値を越える変化を検出すると、前記所定サンプリング時間を最小の値に戻すことを特徴とする。
【００１７】
上記請求項５に記載した本発明のガスメータによれば、流量及び圧力変化量の少なくとも一方にそれぞれの所定の閾値を越える変化が検出されると、使用状態判定手段１５ａ１２によって、所定サンプリング時間が最小の値に戻される。よって、流量及び圧力変化量に基づいてガスの使用状態の変化を検出すると、所定サンプリング時間を速やかに最小の値に戻すので、ガスの使用開始された時点から短い所定サンプリング時間に基づいてガスの流量を計測することができる。従って、ガスの測定精度を向上するとともに、ガスの未使用時間帯における電力の消費を確実に低減させることができる。
【００１８】
上記課題を解決するためになされた請求項６記載の発明は、図１の基本構成図に示すように、請求項１に記載のガスメータにおいて、前記所定サンプリング時間には、最大サンプリング時間が予め定められており、前記使用状態判定手段１５ａ１２は、前記最大サンプリング時間を越えない範囲で前記遅延時間を前記所定サンプリング時間に加算することを特徴とする。
【００１９】
上記請求項６に記載した本発明のガスメータによれば、使用状態判定手段１５ａ１２によって、最大サンプリング時間を越えない範囲で遅延時間が所定サンプリング時間に加算される。よって、所定サンプリング時間は、予め定めた最大サンプリング時間を越えることはないので、ガスの未使用時間帯に適した所定サンプリング時間で流量の計測を行うことができる。従って、ガスの未使用時間帯におけるガスの測定精度を低下させることなく、電力の消費を確実に低減させることができる。
【００２０】
【発明の実施の形態】
以下、本発明に係るガスメータの一実施の形態を、図２〜図６の図面を参照して説明する。
【００２１】
図２は本発明に係るガスメータの概略構成を示す構成図であり、図３は図２のＥＥＰＲＯＭのメモリマップの一実施の形態を示す図であり、図４は図２のＣＰＵが行うサンプリング時間設定処理の一部を示すフローチャートであり、図５は図２のＣＰＵが行うサンプリング時間設定処理の他の一部を示すフローチャートであり、図６は図５のステップＳ２４の別実施の形態を示すフローチャートである。
【００２２】
図２において、ガスメータ４は、ガスメータ４に電力を供給する電源部１１、図示しないガス供給ラインの配管に連通された図示しないガス通路に設けられ弁閉によってガス供給を遮断する遮断弁１２、上記ガス通路内の圧力を感知する圧力センサ１３、上記ガス通路を通じて流れるガス流に応じて流量信号を発生するフローセンサなどの流量センサ１４、及び制御部としてのコントローラ１５を有して構成している。
【００２３】
コントローラ１５は、予め定められたプログラムに従って動作するマイクロコンピュータ（μＣＯＭ）１５ａを有する。μＣＯＭ１５ａは、周知のように、予め定めたプログラムに従って各種の処理や制御などを行う中央演算処理装置（ＣＰＵ）１５ａ１、ＣＰＵ１５ａ１のためのプログラム等を格納した読み出し専用のメモリであるＲＯＭ１５ａ２、各種のデータを格納するとともにＣＰＵ１５ａ１の処理作業に必要なエリアを有する読み出し書き込み自在のメモリであるＲＡＭ１５ａ３等を有して構成している。
【００２４】
また、コントローラ１５は、遮断弁１２、圧力センサ１３、流量センサ１４が接続されるコネクタ１５ｂと、μＣＯＭ１５ａが出力する弁閉・弁開信号に応じて遮断弁１２を駆動するための駆動信号をコネクタ１５ｂを介して出力する遮断弁駆動回路１５ｃと、圧力センサ１３からコネクタ１５ｂを介して入力されるアナログ圧力信号をデジタル変換して圧力信号としてμＣＯＭ１５ａに出力するＡ／Ｄ変換回路１５ｄと、μＣＯＭ１５ａが出力するサンプリング信号に応じて流量センサ１４に通電して流量センサ１４を駆動するヒータ駆動回路１５ｅと、コネクタ１５ｂを介して入力される流量センサ１４からのアナログ流量信号を増幅して出力する増幅回路１５ｆと、増幅回路１５ｆが出力した増幅されたアナログ流量信号をデジタル変換して流量信号としてμＣＯＭ１５ａに出力するＡ／Ｄ変換回路１５ｇとを有して構成している。
【００２５】
コントローラ１５はさらに、電源部１１からの電力供給が断たれた場合でも、格納された各種データの保持が可能であり、ＣＰＵ１５ａ１の処理作業に必要な各種格納エリアを有する電気的消去／書き換え可能な読み出し専用のメモリ（ＥＥＰＲＯＭ）１５ｈと、ガスメータ４の外部にある種々の外部機器が接続される端子台１５ｉと、この端子台１５ｉを介してμＣＯＭと外部機器との間で信号の授受を行うためのインタフェース回路１５ｊとを有して構成している。
【００２６】
具体的に、コントローラ１５には、端子台１５ｉを介して、例えば、宅内に設けられてガスに関する種々の表示を行うための宅内表示盤２１、ガスメータ４に対する種々の遠隔操作を行うための宅内操作器２２、家屋内において警報レベル以上の濃度のガスを検出して警報をガス警報器２３、ガス警報器２３と同様の機能の他に警報レベル以上のＣＯガスを検知して警報を発する第２ガス警報器・ＣＯ警報器２４、複数のＬＰガス容器を自動的に切り替える自動切替式圧力調整器の切替動作に応じた信号を発する自動切替調整器等２５、電話回線などの公衆回線を介してガス販売業者の管理センタとの通信を制御するためのＮＣＵ（Network Control Unit）２６が接続されている。
【００２７】
また、コントローラ１５は、μＣＯＭ１５ａに接続されガス使用量の積算値や警報などの各種の情報を表示する液晶表示器（ＬＣＤ）１５ｋと、コントローラ１５内の各回路に動作電源を供給する電池１５ｍとを有するとともに、インタフェース回路１５ｎを介してμＣＯＭ１５ａに接続された、所定値以上の震度を感知する感震器１５ｏと、開弁している遮断弁１２を弁閉する際とＬＰガス容器を交換した際とにオン操作される遮断弁閉兼容器交換スイッチ１５ｐと、閉弁した遮断弁１２を開放する際にオン操作される遮断弁開スイッチ１５ｑ、及び、電池１５ｉの電圧を監視し、電池１５ｉの電圧がコントローラ１５等の動作に支障のない一定値以下に低下したことを検出するとともに、電池１５ｉの電圧がコントローラ１５等の動作に必要な電圧に復帰したことを検出する電池電圧検出回路１５ｒを有して構成している。
【００２８】
次に、図３を参照して図２のＥＥＰＲＯＭ１５ｈのメモリマップの一実施の形態を説明する。
図３において、ＥＥＰＲＯＭ１５ｈは、流量センサ１４から所定時間毎に流量信号をサンプリングするためのサンプリング時間ｔが格納されるサンプリング時間格納エリア１５ｈ１と、上記流量信号から算出した流量に基づいて所定期間（例えば、１時間、３０分単位など）におけるガスの使用状態を示すために生成された１日分前までの使用パターン情報が時系列的に格納される前日使用パターン情報格納エリア１５ｈ２とを有して構成している。
【００２９】
なお、上述した使用パターン情報は、例えば、所定期間における合計流量データ、ガスの使用の有無データなどによって構成されおり、この使用パターン情報は、ＲＯＭ１５ａ２に予め格納したプログラムに基づいてＣＰＵ１５ａ１によって所定期間毎に生成され、前日使用パターン情報格納エリア１５ｈ２に反映される。よって、１日分前までの使用パターン情報が格納されることからも明らかなように、前日使用パターン情報格納エリア１５ｈ２が、特許請求の範囲に記載の使用パターン記憶手段として機能している。
【００３０】
次に、図４及び図５のフローチャートと、図２及び図３の図面を参照してＣＰＵ３４が行うサンプリング時間設定処理の動作概要の一例を説明する。
【００３１】
図４に示すサンプリング時間設定処理は、ガスメータの設置後の電力の供給開始によってＣＰＵ３４が動作された後に、上位モジュールから起動されると、ステップＳ１において、サンプリング時間初期値設定処理が実行されることで、ＲＯＭ１５ａ２に予め定められた最小サンプリング時間ｔ0が、サンプリング時間ｔとしてＥＥＰＲＯＭ１５ｈのサンプリング時間格納エリア１５ｈ１に格納され、その後、ステップＳ２に進む。
【００３２】
ステップＳ２において、流量計測処理が実行されると、前回サンプリングからサンプリング時間ｔが経過したときに、ヒータ駆動回路１５ｅにサンプリング信号が出力され、このサンプリング信号に応じて駆動された流量センサ１４からコネクタ１５ｂ、増幅回路１５ｆ、Ａ／Ｄ変換回路１５ｇを介して入力された流量信号に基づいて流量Ｑが算出され、この流量ＱはＲＡＭ１５ａ３に格納され、その後ステップＳ３に進む。よって、以上の説明からも明らかなように、流量計測処理が特許請求の範囲に記載の流量計測力手段として機能している。
【００３３】
ステップＳ３において、圧力変化量算出処理が実行されることで、圧力センサ１３からＡ／Ｄ変換回路１５ｄを介して入力された圧力信号に基づいて圧力変化量ΔＰが算出され、この算出された圧力変化量ΔＰがＲＡＭ１５ａ３に格納され、その後ステップＳ４に進む。よって、以上の説明からも明らかなように、圧力変化量算出処理が特許請求の範囲に記載の圧力変化量算出手段として機能している。
【００３４】
ステップＳ４において、ＲＡＭ１５ａ３に格納されている流量Ｑが０、かつ、圧力変化量ΔＰが０であるか否かが判定されることで、現在ガスが使用されているか否かが判定される。流量Ｑ若しくは圧力変化量ΔＰの少なくとも一方が０ではない、つまり、ガスが使用されている（流量Ｑ≠０）、若しくは、ガス供給圧に変動の可能性がある（ΔＰ≠０）と判定された場合は（ステップＳ４でＮ）、ステップＳ１に戻り、一連の処理を繰り返す。
【００３５】
また、ステップＳ４で流量Ｑ及び圧力変化量ΔＰがともに０であると判定された場合は（ステップＳ４でＹ）、ステップＳ５に進む。そして、ステップＳ５において、カウンタインクリメント処理が実行されることで、ＲＡＭ１５ａ３のカウンタｃがインクリメントされ、その後ステップＳ６に進む。
【００３６】
ステップＳ６において、ＲＡＭ１５ａ３のカウンタｃがＲＯＭ１５ａ２に予め定められた閾回数ｎ以上となったか否かが判定される。カウンタｃが閾回数ｎ以上ではない、つまり、流量Ｑ及び圧力変化量ΔＰがともに０を連続して閾回数ｎ（例えば、ｎ回）以上検出していないと判定された場合は（ステップＳ６でＮ）、ステップＳ２に戻り、ガスの流量監視に関する一連の処理が繰り返す。一方、カウンタｃが閾回数ｎ以上である、つまり、流量Ｑ及び圧力変化量ΔＰがともに０を連続して閾回数ｎ（例えば、ｎ回）以上検出したと判定された場合は（ステップＳ６でＹ）、ガスが未使用状態であると見なし、ステップＳ７に進む。
【００３７】
ステップＳ７において、カウンタクリア処理が実行されることで、ＲＡＭ１５ａ３のカウンタｃに０が格納され、その後ステップＳ８に進む。そして、ステップＳ８において、前日使用パターン抽出処理が実行されることで、現在の時刻情報がμＣＯＭ１５に内蔵された時計部（不図示）から取得され、この時刻情報が示す時刻を含む所定期間に応じた前日の使用パターン情報がＥＥＰＲＯＭ１５ｈの前日使用パターン情報格納エリア１５ｈ２から抽出され、この抽出された使用パターン情報がＲＡＭ１５ａ３に格納され、その後ステップＳ９に進む。
【００３８】
ステップＳ９において、ＲＡＭ１５ａ３の使用パターン情報に基づいて、前日のガス未使用時間帯であるか否かが判定されることで、１日前の同じ時間帯におけるガスの使用状態が判定される。前日のガス未使用時間帯ではないと判定された場合は（ステップＳ９でＮ）、ステップＳ１に戻り、一連の処理を繰り返す。一方、前日のガス未使用時間帯であると判定された場合は（ステップＳ９でＹ）、ステップＳ１０に進む。
【００３９】
よって、上述したステップＳ６、Ｓ８、及びＳ９の一連の処理によって、流量の所定回数（ｎ回）連続する０が検出したとき、この時点を含む所定期間に応じた１日前の使用パターンをＥＥＰＲＯＭ１５ｈの前日使用パターン情報格納エリア１５ｈ２から抽出し、この抽出した使用パターン情報に基づいて１日前の同じ時間帯におけるガスの使用状態を判定していることから、ステップＳ６、Ｓ８、及びＳ９の一連の処理が特許請求の範囲に記載の使用状態判定手段として機能している。
【００４０】
ステップＳ１０において、圧力変化量算出手段が実行されることで、ステップＳ３と同様に、ＲＡＭ１５ａ３に圧力変化量ΔＰが算出され、その後ステップＳ１１に進む。そして、ステップＳ１１において、ＲＡＭ１５ａ３の圧力変化量ΔＰが０であるか否かが判定される。圧力変化量ΔＰが０ではないと判定された場合は（ステップＳ１１でＮ）、ステップＳ１に戻り、一連の処理を繰り返す。一方、圧力変化量ΔＰが０であると判定された場合は（ステップＳ１１でＹ）、ステップＳ１２に進む。
【００４１】
ステップＳ１２において、前日のガス未使用時間帯であることを認識した後、ＲＯＭ１５ａ２に予め定められたＧＨＰの稼働などの影響によるガス供給圧力の変動などを監視するための監視時間ｔ1が経過したか否かが判定される。監視時間ｔ1が経過していないと判定された場合は（ステップＳ１２でＮ）、ステップＳ１０に戻り、一連の処理を繰り返すことで、圧力変化量ΔＰの変化が継続して監視される。一方、監視時間ｔ1が経過していると判定された場合は（ステップＳ１２でＹ）、図５に示すステップＳ１３に進む。
【００４２】
図５に示すステップＳ１３において、流量計測処理が実行されることで、図４に示すステップＳ２と同様に、ＲＡＭ１５ａ３に流量Ｑが算出され、その後ステップＳ１４に進む。そして、ステップＳ１４において、ＲＡＭ１５ａ３の流量Ｑが０であるか否かが判定される。流量Ｑが０でないと判定された場合は（ステップＳ１４でＮ）、図４に示すステップＳ１に戻り、一連の処理を繰り返す。一方、流量Ｑが０であると判定された場合は（ステップＳ１４でＹ）、ステップＳ１５に進む。
【００４３】
ステップＳ１５において、サンプリング時間更新処理が実行されることで、ＥＥＰＲＯＭ１５ｈのサンプリング時間ｔにＲＯＭ１５ａ２に予め定められた遅延時間Δｔが加算され、この加算された新たなサンプリング時間ｔがＥＥＰＲＯＭ１５ｈのサンプリング時間格納エリア１５ｈ２に格納され（ｔ＝ｔ＋Δｔ）、その後ステップＳ１６に進む。
【００４４】
ステップＳ１６において、流量計測処理が実行されることで、図４に示すステップＳ２と同様に、ＲＡＭ１５ａ３に流量Ｑが算出され、その後ステップＳ１７に進む。そして、ステップＳ１７において、ＲＡＭ１５ａ３の流量Ｑが０であるか否かが判定される。流量Ｑが０でないと判定された場合は（ステップＳ１７でＮ）、図４に示すステップＳ１に戻り、遅延されたサンプリング時間ｔが最小サンプリング時間ｔ0に変更されて一連の処理を繰り返す。一方、流量Ｑが０であると判定された場合は（ステップＳ１７でＹ）、ステップＳ１８に進む。
【００４５】
ステップＳ１８において、カウンタインクリメント処理が実行されることで、ＲＡＭ１５ａ３のカウンタｃがインクリメントされ、その後ステップＳ１９に進む。
【００４６】
ステップＳ１９において、ＲＡＭ１５ａ３のカウンタｃがＲＯＭ１５ａ２に予め定められた閾回数ｎ以上となったか否かが判定される。カウンタｃが閾回数ｎ以上ではない、つまり、サンプリング時間ｔの変更後に、流量Ｑが０である状態を連続して閾回数ｎ（例えば、ｎ回）以上検出していないと判定された場合は（ステップＳ１９でＮ）、ステップＳ１６に戻り、ガスの流量監視に関する一連の処理が繰り返す。一方、カウンタｃが閾回数ｎ以上である、つまり、流量Ｑが０である状態を連続して閾回数ｎ（例えば、ｎ回）以上検出したと判定された場合は（ステップＳ１９でＹ）、ガスが未使用状態が継続していると見なし、ステップＳ２０に進む。
【００４７】
ステップＳ２０において、カウンタクリア処理が実行されることで、ＲＡＭ１５ａ３のカウンタｃに０が格納され、その後ステップＳ２１に進む。そして、ステップＳ２１において、流量計測処理が実行されることで、図４に示すステップＳ２と同様に、ＲＡＭ１５ａ３に流量Ｑが算出され、その後ステップＳ２２に進む。そして、ステップＳ２２において、圧力変化量算出処理が実行されることで、図４に示すステップＳ３と同様に、ＲＡＭ１５ａ３に圧力変化量ΔＰが算出され、その後ステップＳ２３に進む。
【００４８】
ステップＳ２３において、ＥＥＰＲＯＭ１５ｈのサンプリング時間ｔがＲＯＭ１５ａ２に予め格納された最大サンプリング時間ｔMAXに等しいか否かが判定される。なお、本実施の形態では、最大サンプリング時間ｔMAXと最小サンプリング時間ｔ0との差は（ｔMAX−ｔ0）、遅延時間Δｔの最大公倍数となることを前提としているが、遅延時間Δｔの最大公倍数とならないときは、判定処理を最大サンプリング時間ｔMAXとサンプリング時間ｔとの差が遅延時間Δｔ以下であるか否かを判定することで対応することができる。
【００４９】
ステップＳ２３でサンプリング時間ｔが最大サンプリング時間ｔMAXに等しいと判定された場合は（ステップＳ２３でＹ）、ステップＳ２４に進む。そして、ステップＳ２４において、ＲＡＭ１５ａ３の流量ＱがＲＯＭ１５ａ２に予め定められた流量閾値αを越えた、若しくは、ＲＡＭ１５ａ３の圧力変化量ΔＰがＲＯＭ１５ａ２に予め定められた圧力変化量閾値βを越えたか否かが判定される。流量Ｑ若しくは圧力変化量ΔＰの双方ともそれぞれの閾値を超えていないと判定された場合は（ステップＳ２４でＮ）、ステップＳ１６に戻り、ガスの流量監視に関する一連の処理が繰り返す。
【００５０】
一方、ステップＳ２４で流量Ｑ若しくは圧力変化量ΔＰの何れかがそれぞれの閾値を超えたと判定された場合は（ステップＳ２４でＹ）、ガスの使用が開始されたと見なし、図４に示すステップ１に戻り、遅延されたサンプリング時間ｔが最小サンプリング時間ｔ0に変更されて一連の処理を繰り返す。
【００５１】
また、ステップＳ２３でサンプリング時間ｔが最大サンプリング時間ｔMAXに等しくないと判定された場合は（ステップＳ２３でＮ）、ステップＳ２５に進む。そして、ステップＳ２５において、ＲＡＭ１５ａ３の流量ＱがＲＯＭ１５ａ２に予め定められた流量閾値αを越えた、若しくは、ＲＡＭ１５ａ３の圧力変化量ΔＰがＲＯＭ１５ａ２に予め定められた圧力変化量閾値βを越えたか否かが判定される。流量Ｑ若しくは圧力変化量ΔＰの双方ともそれぞれの閾値を超えていないと判定された場合は（ステップＳ２５でＮ）、サンプリング時間ｔに遅延時間Δｔの加算が可能でるため、ステップＳ１５に戻り、サンプリング時間ｔをさらに長くしてガスの流量監視に関する一連の処理が繰り返す。
【００５２】
一方、ステップＳ２５で流量Ｑ若しくは圧力変化量ΔＰの何れかがそれぞれの閾値を超えたと判定された場合は（ステップＳ２５でＹ）、ガスの使用が開始されたと見なし、図４に示すステップＳ１に戻り、遅延されたサンプリング時間ｔが最小サンプリング時間ｔ0に変更されて一連の処理を繰り返す。
【００５３】
よって、以上の説明からも明らかなように、ＣＰＵ１５ａ１が特許請求の範囲に記載の流量計測手段、使用状態判定手段、圧力変化量算出手段として機能している。
【００５４】
次に、上述した構成による本実施の形態の動作（作用）の一例を以下に説明する。
【００５５】
ガスメータ４において、まず、サンプリング時間ｔには初期値として最小サンプリング時間ｔ0が設定される（ステップＳ１）。そして、計測された流量Ｑと算出された圧力変化量ΔＰに基づいて、ガスが使用されているか否かが判定される（ステップＳ２〜ステップＳ４）。ガスが使用されている場合は（ステップＳ４でＮ）、継続してガスの使用状態が監視される。
【００５６】
また、流量Ｑ＝０、かつ、圧力変化量ΔＰ＝０が検出されると、所定回数連続しているかを判定するためのカウンタｃがインクリメントされ（ステップＳ５）、このカウンタｃが閾回数ｎ（例えばｎ回）以上となったか否かが判定される。そして、カウンタｃが閾回数ｎ以上となると、ガスの未使用状態が継続していると判定され（ステップＳ６でＹ）、カウンタｃがクリアされる（ステップＳ７）。
【００５７】
そして、ガスの未使用状態が継続していると判定された時点を含む所定期間に応じた１日前の使用パターンが、ＥＥＰＲＯＭ１５ｈの前日使用パターン情報格納エリア１５ｈ２から抽出され（ステップＳ８）、この抽出された使用パターン情報に基づいて、１日前の同じ時間帯におけるガスの使用状態が判定される（ステップＳ９）。そして、前日はガス使用時間帯であったと判定された場合は（ステップＳ９でＮ）、サンプリング時間ｔを変更せずに、ガスの使用状態の監視が継続される。一方、前日のガス未使用時間帯であると判定されると（ステップＳ９でＹ）、ガス供給ラインの近くに設置されたＧＨＰの稼働などの影響によるガス供給圧力の変動などを監視するために、圧力変化量ΔＰが監視時間ｔ1の間監視される（ステップＳ１０〜Ｓ１２）。
【００５８】
圧力変化量ΔＰの監視期間中に圧力の変化が検出されたときは（ステップＳ１１でＮ）、ガス供給圧力の変動の可能性があるため、サンプリング時間ｔを変更せずに、ガスの使用状態の監視が継続される。一方、圧力変化量ΔＰの変化が検出されずに監視期間が終了したとき（ステップＳ１２でＹ）、その時点の流量Ｑが０であると、サンプリング時間ｔに遅延時間Δｔが加算された値が新たなサンプリング時間ｔとして、ＥＥＰＲＯＭ１５ｈのサンプリング時間格納エリア１５ｈ２に格納される（ステップＳ１５）。
【００５９】
そして、この遅延されたサンプリング時間ｔに基づいて流量Ｑのサンプリングが行われる。その後、計測された流量Ｑの所定回数（例えば、ｎ回）連続する０が検出されたとき（ステップＳ１９でＹ）、サンプリング時間ｔが最大サンプリング時間ｔMAXではない、かつ、流量Ｑが流量閾値α、圧力変化量ΔＰが圧力変化量閾値βより双方とも大きくないと判定された場合は（ステップＳ２５でＮ）、サンプリング時間ｔに遅延時間Δｔがさらに加算された値が新たなサンプリング時間ｔとして、ＥＥＰＲＯＭ１５ｈのサンプリング時間格納エリア１５ｈ２に格納される（ステップＳ１５）。
【００６０】
なお、このサンプリング時間ｔへの遅延時間Δｔの加算は、サンプリング時間ｔが最大サンプリング時間ｔMAXと等しくなるまで（ステップＳ２３でＹ）行われる。また、０でない流量Ｑが検出される（ステップＳ１７でＮ）、又は、流量Ｑか圧力変化量ΔＰの何れかがそれぞれの閾値を超えるときは（ステップＳ２４でＮ、ステップＳ２５でＮ）、サンプリング時間ｔが最小サンプリング時間ｔ0に戻され（ステップＳ１）。その後最小のサンプリング時間ｔ毎にサンプリングされた流量信号に基づいて、ガスの流量が計測される。
【００６１】
以上説明したように、本発明に係るガスメータ４によって、流量センサ（流量計測手段）１４からの入力に基づいて計測した流量Ｑの所定回数連続した０を検出すると、その検出時点を含む１日前の時間帯におけるガスの使用状態を判定し、その時間帯がガスの未使用時間帯であれば、サンプリング時間ｔに遅延時間Δｔを加算してサンプリング時間ｔを長く変更するので、ガスメータ４の設置先のガスの使用状態に基づいて、ガスの使用時間帯は短く、また、ガスの未使用時間帯は長くそれぞれ設定されたサンプリング時間ｔに基づいて、ガスの流量を計測することができる。
【００６２】
よって、一般的に１日におけるガスの使用状態は、未使用時間の方が使用時間よりも長いことから、電力の消費を増加させることなく、測定精度を向上することができる。また、ガスの使用状態の判定は、前日のガスの使用パターン情報に基づいているため、ガスメータの設置先におけるガスの使用状態の近況をより一層サンプリング時間ｔに反映することができる。さらに、サンプリング時間ｔは、一般的に例えば０．５秒から１．０秒に遅延させるだけでも、サンプリングにおける電力消費を半減させることができることから、本発明ではガスの未使用時にはサンプリング時間ｔを長く設定しているので、流量のサンプリングによる電力消費の低減が可能となるため、ガスメータに電力として用いる電池を少なくすることができる。従って、ガスの流量測定が高精度、かつ、低コストで小型のガスメータを提供することができる。
【００６３】
また、流量センサ（流量計測手段）１４からの入力に基づいて計測した流量Ｑの所定回数連続する０を検出し、さらに圧力センサ（圧力変化量算出手段）１３からの入力に基づいて算出した圧力変化量ΔＰが０のときに、１日前の使用状態を判定するので、より一層正確にガスの使用状態を判定することができる。よって、流量センサ（流量計測手段）１４の測定値だけに頼らないため、ガスメータ４の設置先のガスの使用状態の近況をより一層正確にサンプリング時間ｔに反映することができる。
【００６４】
さらに、算出した圧力変化量が所定の監視時間の間継続して０のときに圧力変化量を０と見なすので、例えば、ガス供給ラインの近くに隣家のガスエンジンヒートポンプ（ＧＨＰ）などが配設されているような場合に、ＧＨＰの稼働によってガス供給圧に変動の可能性がある圧力変化が生じている場合は、サンプリング時間ｔが変更されないので、測定精度を低下させることはない。よって、より一層正確にガスの使用状態を判定することが可能となるため、ガスメータの設置先のガスの使用状態の近況をより一層正確にサンプリング時間ｔに反映することができる。
【００６５】
また、遅延時間Δｔが加算されたサンプリング時間ｔに基づいて、流量センサ（流量計測手段）１４からの入力に基づいて計測した流量Ｑの所定回数連続する０を検出する毎に、遅延時間Δｔをサンプリング時間ｔに加算するので、新たなサンプリング時間ｔに変更した後、ガスの未使用状態が継続する場合は、サンプリング時間ｔを一定期間毎に長くすることができる。よって、ガスの未使用時間の継続状況に応じて順次サンプリング時間ｔが長くなるので、電力の消費をより一層低減することができる。
【００６６】
さらに、流量Ｑ及び圧力変化量ΔＰに基づいてガスの使用状態の変化を検出すると、サンプリング時間ｔを速やかに最小サンプリング時間ｔ0に戻すので、ガスの使用開始された時点から短いサンプリング時間ｔに基づいてガスの流量Ｑを計測することができる。よって、ガスの測定精度を向上するとともに、ガスの未使用時間帯における電力の消費を確実に低減することができる。
【００６７】
また、サンプリング時間ｔは、予め定めた最大サンプリング時間ｔMAXを越えることはないので、ガスの未使用時間帯に適したサンプリング時間ｔで流量Ｑの計測を行うことができる。よって、ガスの未使用時間帯におけるガスの測定精度を低下させることなく、電力の消費を確実に低減することができる。
【００６８】
さらに、頻繁に流量センサ（流量測定手段）１４及び圧力センサ（圧力測定手段）１３の出力をサンプリングする必要がなくなるので、サンプリング間隔の間はμＣＯＭ１５のＣＰＵ１５ａ１を低クロック化させることが可能となるので、より一層ガスメータにおける電力の消費を低減することができる。
【００６９】
また、上述した本実施の形態では、ガス消費パターンが固定していない設置先に適している実施の形態について説明したが、本発明はこれに限定するものではなく、上述した本実施の形態を、ガス消費パターンが固定している設置先に適用する場合、上述した本実施の形態をそのまま適用することもできるが、例えば図５に示すステップＳ２４を図６に示すフローチャートに変更することで効率よく対応することができる。
【００７０】
図５に示すステップＳ２３でサンプリング時間ｔが最大サンプリング時間ｔMAXに等しいと判定された場合は（ステップＳ２３でＹ）、図６に示すステップＳ２４１に進む。そして、ステップＳ２４１において、流量計測処理が実行されることで、図４に示すステップＳ２と同様に、ＲＡＭ１５ａ３に流量Ｑが算出され、その後ステップＳ２４２に進む。
【００７１】
ステップＳ２４２において、ＲＡＭ１５ａ３の流量Ｑが０か否かが判定される。流量Ｑが０でないと判定された場合は（ステップＳ２４２でＮ）、図４に示すステップＳ１に戻り、遅延されたサンプリング時間ｔが最小サンプリング時間ｔ0に変更されて一連の処理を繰り返す。一方、流量Ｑが０であると判定された場合は（ステップＳ２４２でＹ）、ステップＳ２４３に進む。
【００７２】
ステップＳ２４３において、時刻情報取得処理が実行されることで、現在の時刻情報がμＣＯＭ１５に内蔵された時計部（不図示）からＲＡＭ１５ａ３に取得され、その後ステップＳ２４４に進む。そして、ステップＳ２４４において、ＲＡＭ１５ａ３の時刻情報に基づいてガス使用時間帯のＴ分前か否かが判定される。ガス使用時間帯のＴ分前ではないと判定された場合は（ステップＳ２４４でＮ）、ステップＳ２４１に戻り、一連の処理を繰り返す。一方、ガス使用時間帯のＴ分前であると判定された場合は（ステップＳ２４４でＹ）、ガスの使用が開始されるＴ分前であることから、サンプリング時間ｔを最小サンプリング時間ｔ0に戻すために、図４に示すステップ１に戻り、遅延されたサンプリング時間ｔが最小サンプリング時間ｔ0に変更されて一連の処理を繰り返す。
【００７３】
このようにガスメータ４をガス消費パターンが固定している設置先に適用する場合、図５に示すステップＳ２４を図６に示すフローチャートに変更することで、サンプリング時間ｔが最大サンプリング時間ｔMAXに到達した以降の余計な処理を削減することができるので、サンプリング間隔の間はμＣＯＭ１５のＣＰＵ１５ａ１を低クロック化させることが可能となるので、より一層ガスメータにおける電力の消費を削減することができる。
【００７４】
また、上述した本実施の形態では、ガスの使用パターンを１日分のみ記憶する場合について説明したが、本発明はこれに限定するものではなく、ガスメータ４の設置先の近日の使用状況が判定できれば、例えば、３日前、１週間前までなど種々異なる使用パターンとすることもできる。
【００７５】
【発明の効果】
以上説明したように請求項１に記載した本発明のガスメータによれば、流量計測手段が計測した流量の所定回数連続した０を検出すると、その検出時点を含む１日前の時間帯におけるガスの使用状態を判定し、その時間帯がガスの未使用時間帯であれば、流量計測手段の所定サンプリング時間に所定の遅延時間を加算して所定サンプリング時間を長く変更するので、ガスメータの設置先の使用状態に基づいて、ガスの使用時は短く、また、ガスの未使用時は長くそれぞれ設定された所定サンプリング時間に基づいてガスの流量を計測することができる。よって、一般的に１日におけるガスの使用状態は、未使用時間の方が使用時間よりも長いことから、電力の消費を増加させることなく、測定精度を向上することができる。また、ガスの使用状態の判定は、前日のガスの使用パターンに基づいているため、ガスメータの設置先におけるガスの使用状態の近況をより一層所定サンプリング時間に反映することができる。さらに、ガスの未使用時には所定サンプリング時間を長く設定しているので、流量のサンプリングによる電力消費の低減が可能となるため、ガスメータに電力として用いる電池を少なくすることができる。従って、ガスの流量測定が高精度、かつ、低コストで小型のガスメータを提供することができる。
【００７６】
請求項２に記載の発明によれば、請求項１に記載の発明の効果に加え、使用状態判定手段は、流量計測手段が計測した流量の所定回数連続する０を検出し、さらに圧力変化量算出手段が算出した圧力変化量が０のときに１日前の使用状態を判定するので、より一層正確にガスの使用状態を判定することができる。従って、流量計測手段の測定値だけに頼らないため、ガスメータの設置先のガスの使用状態の近況をより一層正確に所定サンプリング時間に反映することができる。
【００７７】
請求項３に記載の発明によれば、請求項２に記載の発明の効果に加え、使用状態判定手段は、圧力変化量算出手段が算出した圧力変化量が所定の監視時間の間継続して０のときに圧力変化量を０と見なすので、例えば、ガス供給ラインの近くに隣家のガスエンジンヒートポンプ（ＧＨＰ）などが配設されているような場合に、ＧＨＰの稼働によってガス供給圧に変動の可能性がある圧力変化が生じている場合は、所定サンプリング時間が変更されないので、測定精度を低下させることはない。従って、ガスメータにおける測定などに影響を与える可能性がある圧力変化が生じている場合は、所定サンプリング時間が変更されないので、より一層正確にガスの使用状態を判定することが可能となるため、ガスメータの設置先のガスの使用状態の近況をより一層正確に所定サンプリング時間に反映することができる。
【００７８】
請求項４に記載の発明によれば、請求項１〜３の何れかに記載の発明の効果に加え、遅延時間が加算された所定サンプリング時間に基づいて流量計測手段が計測した流量の所定回数連続する０を検出する毎に、遅延時間を所定サンプリング時間に加算するので、新たな所定サンプリング時間に変更した後、ガスの未使用状態が継続する場合は、所定サンプリング時間を一定期間毎に長くすることができる。従って、ガスの未使用時間の継続状況に応じて順次所定サンプリング時間が長くなるので、電力の消費をより一層低減することができる。
【００７９】
請求項５に記載の発明によれば、請求項１〜４の何れかに記載の発明の効果に加え、流量及び圧力変化量に基づいてガスの使用状態の変化を検出すると、所定サンプリング時間を速やかに最小の値に戻すので、ガスの使用開始された時点から短い所定サンプリング時間に基づいてガスの流量を計測することができる。従って、ガスの測定精度を向上するとともに、ガスの未使用時間帯における電力の消費を確実に低減することができる。
【００８０】
請求項６に記載の発明によれば、請求項１〜５の何れかに記載の発明の効果に加え、所定サンプリング時間は、予め定めた最大サンプリング時間を越えることはないので、ガスの未使用時間帯に適した所定サンプリング時間で流量の計測を行うことができる。従って、ガスの未使用時間帯におけるガスの測定精度を低下させることなく、電力の消費を確実に低減することができる。
【図面の簡単な説明】
【図１】本発明のガスメータの基本構成を示す図である。
【図２】本発明に係るガスメータの概略構成を示す構成図である。
【図３】図２のＥＥＰＲＯＭのメモリマップの一実施の形態を示す図である。
【図４】図２のＣＰＵが行うサンプリング時間設定処理の一部を示すフローチャートである。
【図５】図２のＣＰＵが行うサンプリング時間設定処理の他の一部を示すフローチャートである。
【図６】図５のステップＳ２４の別実施の形態を示すフローチャートである。
【図７】一般的なガス供給系統の概要構成を示す図である。
【符号の説明】
１３          圧力測定手段（圧力センサ）
１４          流量測定手段（流量センサ）
１５ａ１１    流量計測手段（ＣＰＵ）
１５ａ１２    使用状態判定手段（ＣＰＵ）
１５ａ１３    圧力変化量算出手段（ＣＰＵ）
１５ｈ２      使用パターン記憶手段（ＥＥＰＲＯＭ）
【図１】
0004392108.tif 000002
【図２】
0004392108.tif 000003
【図３】
0004392108.tif 000004
【図４】
0004392108.tif 000005
【図５】
0004392108.tif 000006
【図６】
0004392108.tif 000007
【図７】
0004392108.tif 000008